(57)【要約】【課題】ＨＰ電子制御装置への電力供給が停止しているときにおいても、機能を損なうことのないヒートポンプ式給湯機を提供すること。【解決手段】ヒートポンプサイクルを制御する第１制御手段９と、給湯サイクルを制御する第２の制御手段１１と、外気の温度を検出する外気温度検出手段１０とを備え、ヒートポンプサイクルと第１制御手段９と外気温度検出手段１０とを有するヒートポンプユニット７と、水冷媒熱交換器２を除く給湯サイクルと第２制御手段１１とを有するタンクユニット８で構成されたヒートポンプ式給湯機において、タンクユニット８を介してヒートポンプユニット７への電源が供給されるとともに、ヒートポンプユニット７への電源の供給が遮断されている間は、ヒートポンプユニット７への電源の供給が遮断される直前に、外気温度検出手段１０で検出した外気温度に基づいて、第２の制御手段１１で外気温度を推定する。【選択図】図１
2008170081.tif 000002
【特許請求の範囲】
【請求項１】
圧縮機・水冷媒熱交換器・減圧装置・蒸発器を環状に接続したヒートポンプサイクルと、前記ヒートポンプサイクルを制御する第１制御手段と、貯湯タンク・循環ポンプ・前記水冷媒熱交換器を環状に接続した給湯サイクルと、前記給湯サイクルを制御する第２の制御手段と、外気の温度を検出する外気温度検出手段とを備え、前記ヒートポンプサイクルと前記第１制御手段と前記外気温度検出手段とを有するヒートポンプユニットと、前記水冷媒熱交換器を除く前記給湯サイクルと前記第２制御手段とを有するタンクユニットで構成されたヒートポンプ式給湯機において、前記タンクユニットを介して前記ヒートポンプユニットへの電源が供給されるとともに、前記ヒートポンプユニットへの電源の供給が遮断されている間は、前記ヒートポンプユニットへの電源の供給が遮断される直前に、前記外気温度検出手段で検出した外気温度に基づいて、前記第２の制御手段で外気温度を推定することを特徴とするヒートポンプ式給湯機。
【発明の詳細な説明】
【技術分野】
【０００１】
本発明は、ヒートポンプ式給湯機に係り、特に外気温度の推定方法に関するものである。
【背景技術】
【０００２】
従来、ヒートポンプユニットとタンクユニットが分離した分離型のヒートポンプ式給湯機が開発されている。このような分離型のヒートポンプ式給湯機において、ヒートポンプユニットおよびタンクユニットそれぞれに電源が常時供給されており、外気温度を検出する外気温度検出手段を有するヒートポンプユニットの電子制御装置から、タンクユニットの電子制御装置へ常時情報を送信することが可能であった（例えば、特許文献１参照）。
【０００３】
図３は、従来のヒートポンプ式給湯機の構成図、図４は、従来の外気温度検出フローチャートである。図３において、従来のヒートポンプ式給湯機は、圧縮機１０１、水冷媒熱交換器１０２、減圧装置１０３、蒸発器１０４を冷媒配管で順次環状に接続されたヒートポンプサイクルと、水冷媒熱交換器１０２、貯湯タンク１０５、水ポンプ１０６を給湯配管で順次環状に接続された給湯サイクルとで構成され、ヒートポンプサイクルを一つの筐体に収納したヒートポンプユニット１０７と、水冷媒熱交換器１０２を除く給湯サイクルを一つの筐体に収納したタンクユニット１０８とを有する。
【０００４】
また、ヒートポンプユニット１０７には、ヒートポンプユニット１０７を構成する機器を制御するＨＰ電子制御装置１０９と、外気温度を検出する外気温度検出手段１１０が備え付けられ、タンクユニット１０８には、タンクユニット１０８を構成する機器を制御するタンク電子制御装置１１１が備え付けられている。
【０００５】
また図３に示すように、ＨＰ電子制御装置１０９およびタンク電子制御装置１１１にはそれぞれ電源１１２から電力が供給されており、図４に示すように、伝送線１１３を通して外気温度検出手段１１０で検出した外気温度を常時タンク電子制御装置１１１に送信可能な構成となっている。
【０００６】
しかしながら、上記従来の構成では、常にＨＰ電子制御装置に電力を供給しているため、ヒートポンプユニットに備えられている機器が動作する必要のない時においても、常に電力が供給されており、その分、電力が無駄に消費されてしまう。
【０００７】
このように電力が無駄に消費されてしまう課題に対して、ＨＰ電子制御装置への電力の供給は、タンク側の状況に応じてＨＰ電子制御装置への電力供給が開始もしくは停止されるヒートポンプ式給湯機が提案されている（例えば、特許文献２参照）。
【特許文献１】特開２００３−２２２４１３号公報
【特許文献２】特開２００４−１９８０４４号公報
【発明の開示】
【発明が解決しようとする課題】
【０００８】
しかしながら、特許文献２に記載されている従来の構成では、タンク側の状況に応じてＨＰ電子制御装置へ電力が供給されており、ＨＰ電子制御装置へ電力が供給されていないときには、外気温度を検出することができず、ＨＰ電子制御装置へ電力が供給されていないときに外気温度を検出したい場合には、外気温度を検出することができないという課題を有していた。
【０００９】
本発明は、従来の課題を解決するもので、ＨＰ電子制御装置への電力供給が停止しているときにおいても、機能を損なうことのないヒートポンプ式給湯機を提供することを目的とする。
【課題を解決するための手段】
【００１０】
前記従来の課題を解決するために、本発明のヒートポンプ式給湯機は、圧縮機・水冷媒熱交換器・減圧装置・蒸発器を環状に接続したヒートポンプサイクルと、前記ヒートポンプサイクルを制御する第１制御手段と、貯湯タンク・循環ポンプ・前記水冷媒熱交換器を環状に接続した給湯サイクルと、前記給湯サイクルを制御する第２の制御手段と、外気の温度を検出する外気温度検出手段とを備え、前記ヒートポンプサイクルと前記第１制御手段と前記外気温度検出手段とを有するヒートポンプユニットと、前記水冷媒熱交換器を除く前記給湯サイクルと前記第２制御手段とを有するタンクユニットで構成されたヒートポンプ式給湯機において、前記タンクユニットを介して前記ヒートポンプユニットへの電源が供給されるとともに、前記ヒートポンプユニットへの電源の供給が遮断されている間は、前記ヒートポンプユニットへの電源の供給が遮断される直前に、前記外気温度検出手段で検出した外気温度に基づいて、前記第２の制御手段で外気温度を推定するものである。
【００１１】
これによって、第１の制御手段に電力が供給されていない場合においても、第２の制御手段で外気温度を推定することができるので、第１の制御手段に電力が供給されていない場合に、外気温度に基づいて制御を行わなければならない場合においても、制御することができる。
【発明の効果】
【００１２】
本発明は、ヒートポンプユニットを制御する第１の制御手段への電力供給が停止しているときにおいても、機能を損なうことのないヒートポンプ式給湯機を提供することができる。
【発明を実施するための最良の形態】
【００１３】
第１の発明のヒートポンプ式給湯機は、圧縮機・水冷媒熱交換器・減圧装置・蒸発器を環状に接続したヒートポンプサイクルと、前記ヒートポンプサイクルを制御する第１制御手段と、貯湯タンク・循環ポンプ・前記水冷媒熱交換器を環状に接続した給湯サイクルと、前記給湯サイクルを制御する第２の制御手段と、外気の温度を検出する外気温度検出手段とを備え、前記ヒートポンプサイクルと前記第１制御手段と前記外気温度検出手段とを有するヒートポンプユニットと、前記水冷媒熱交換器を除く前記給湯サイクルと前記第２制御手段とを有するタンクユニットで構成されたヒートポンプ式給湯機において、前記タンクユニットを介して前記ヒートポンプユニットへの電源が供給されるとともに、前記ヒートポンプユニットへの電源の供給が遮断されている間は、前記ヒートポンプユニットへの電源の供給が遮断される直前に、前記外気温度検出手段で検出した外気温度に基づいて、前記第２の制御手段で外気温度を推定することにより、第１の制御手段に電力が供給されていない場合においても、第２の制御手段で外気温度を推定することができるので、第１の制御手段に電力が供給されていない場合に、外気温度に基づいて制御を行わなければならない場合（例えば、外気温度に基づいて水配管の凍結を防止する運転制御など）においても、制御することができる。
【００１４】
以下、本発明の実施の形態について、図面を参照しながら説明する。なお、この実施の形態によって本発明が限定されるものではない。
【００１５】
（実施の形態１）
図１は、本実施の形態におけるヒートポンプ式給湯機の構成図である。図１において、本発明のヒートポンプ式給湯機は、冷媒を圧縮する圧縮機１、水と冷媒とを熱交換する水
冷媒熱交換器２、冷媒を減圧する減圧装置３、吸熱する蒸発器４を冷媒配管で順次環状に接続されたヒートポンプサイクルと、水冷媒熱交換器２、高温の湯を貯湯する貯湯タンク５、水冷媒熱交換器２に水を送水する水ポンプ６を給湯配管で順次環状に接続された給湯サイクルとで構成され、ヒートポンプサイクルを一つの筐体に収納したヒートポンプユニット７と、水冷媒熱交換器２を除く給湯サイクルを一つの筐体に収納したタンクユニット８とを有する。
【００１６】
また、ヒートポンプユニット７には、ヒートポンプユニット７を構成する機器を制御するＨＰ電子制御装置（第１の制御手段）９と、外気温度を検出するサーミスタ（外気温度検出手段）１０が備え付けられ、タンクユニット８には、タンクユニット８を構成する機器を制御するタンク電子制御装置（第２の制御手段）１１が備え付けられている。
【００１７】
また、ＨＰ電子制御装置９への電力供給は、タンク電子制御装置１１を介して電源１２から電力が供給されており、ＨＰ電子制御装置９への電力供給が不要な場合には、電力の供給を遮断する構成となっている。
【００１８】
以上のように構成されたヒートポンプ式給湯機について、以下その動作、作用を説明する。
【００１９】
図２は、本実施の形態における外気温度検出のフローチャートである。図２において、ＨＰ電子制御装置９に電力が供給されている場合には、伝送線１３を通して、サーミスタ１０で検出された温度を外気温度として取得するが、ＨＰ電子制御装置９に電力が供給されていない場合には、ＨＰ電子制御装置９への電力供給が遮断される前にサーミスタ１０で検出された温度を外気温度として推定する。
【００２０】
外気温度の推定値が低い場合には、運転指示をヒートポンプユニットに送信し、ヒートポンプユニットを運転させることで水配管などの凍結を防止することができる。
【産業上の利用可能性】
【００２１】
以上のように、ＨＰ電子制御装置に電力を供給しなくとも機能を損なうことのないヒートポンプ式給湯機を提供することができる。
【図面の簡単な説明】
【００２２】
【図１】本発明の第１の実施の形態におけるヒートポンプ式給湯機の構成図
【図２】同実施の形態における外気温度取得のフローチャート
【図３】従来の形態におけるヒートポンプ式給湯機の構成図
【図４】従来の形態における外気温度取得のフローチャート
【符号の説明】
【００２３】
１  圧縮機
２  水冷媒熱交換器
３  減圧装置
４  蒸発器
５  貯湯タンク
６  水ポンプ
７  ヒートポンプユニット
８  タンクユニット
９  第１の制御手段
１０  外気温度検出手段
１１  第２の制御手段
１２  電源
１３  伝送線
【図１】
2008170081.tif 000003
【図２】
2008170081.tif 000004
【図３】
2008170081.tif 000005
【図４】
2008170081.tif 000006